(57)【要約】【課題】  記録媒体に余分なデータが記録されていても常に正常な再生が可能なディスク再生装置を提供する。【解決手段】  制御部１７は、記録媒体９に形成されたセクタの先頭からデータの読み取りを開始し、読み取られたデータにデータ形式の規格で定義されたヘッダ情報が含まれるかどうかを判断し、ここでヘッダ情報が含まれていないことが判断された場合に、次のセクタからのデータの読み取り、所定数のセクタから読み取ったデータにヘッダ情報が含まれていない場合に再生を抑止する。一方、ヘッダ情報が含まれていることが判断された場合は、ヘッダ情報が含まれるフレームのデータから順次再生を行う。【選択図】        図５
2005203028.tif 000002
【特許請求の範囲】
【請求項１】
記録媒体に形成されたセクタの先頭からデータの読み取りを開始する読取手段と、
前記読取手段で読み取られたデータにデータ形式の規格で定義されたヘッダ情報が含まれるかどうかを判断する判断手段と、
前記判断手段により前記ヘッダ情報が含まれていないことが判断された場合に、前記読取手段に対し、次のセクタからのデータの読み取りを指示する制御手段と、
前記判断手段によりヘッダ情報が含まれていることが判断された場合に、前記ヘッダ情報が含まれるフレームのデータから順次再生を行う再生手段と、
前記制御手段の指示に応じて前記読取手段が所定数のセクタから読み取ったデータに前記ヘッダ情報が含まれていない場合に再生を抑止する抑止手段
とを備えたディスク再生装置。
【請求項２】
再生手段は、判断手段によりヘッダ情報が含まれていることが判断された回数が所定数に達した場合に、ヘッダ情報が含まれるフレームのデータから順次再生を行うことを特徴とする請求項１記載のディスク再生装置。
【請求項３】
データ形式の規格はＭＰ３（MPEG Audio Layer-III）規格であることを特徴とする請求項２記載のディスク再生装置。
【発明の詳細な説明】
【技術分野】
【０００１】
この発明はディスク再生装置に関し、特にリッピングソフトウェアを用いて作成されたＭＰ３ディスクを再生する技術に関する。
【背景技術】
【０００２】
従来、音声データの圧縮技術の１つとして、ＭＰ３（MPEG Audio Layer-III）が知られている。このＭＰ３は、映像データ圧縮方式のＭＰＥＧ−１で利用される音声圧縮方式の１つであり、オーディオＣＤ並の音質を保ったままデータ量を約１／１１に圧縮できるという特徴を有する。
【０００３】
ところで、近年は、市販のオーディオＣＤ（ＣＤ−ＤＡ（Compact Disc Digital Audio）とも呼ばれる）に記録されているデジタル形式の音声データをパーソナルコンピュータに取り込み、パーソナルコンピュータ上でＭＰ３形式の音声データ（以下、「ＭＰ３データ」という）に圧縮してＣＤ−Ｒ（Compact Disk Recordable)やＣＤ−ＲＷ（Compact Disk ReWritable)等に書き込み、個人が好みの楽曲だけを集めたＣＤを作成することが行われている。
【０００４】
この時に用いられツールは、リッピングソフトウェア(ripping software)、リッピングツール(ripping tool)、あるいは単にリッパー等と呼ばれる。リッピングを行ったデータは元のオーディオＣＤの音声情報をデジタルデータのまま処理したものなので、理論上は音質は全く劣化しない。
【０００５】
リッピングソフトウェアとしては、サブコード領域のＱチャンネル内のＡ／Ｄ（アナログ／デジタル）識別情報に誤情報が紛れ込んでいるときでも正常にパーソナルコンピュータでリッピングを行えるようにしたＣＤリッピング用のプログラムが知られている（例えば、特許文献１参照）。このプログラムは、ＣＤ再生装置にセットされたＣＤのＴＯＣ（Table Of Contents）から、プログラム領域における各トラックの位置を読み取り、そのトラックにおいてＡ／Ｄ識別情報（サブコードＱチャネルのコントロール）を読み取り、この読みとったＡ／Ｄ識別情報がオーディオデータになっていれば、ＴＯＣにおけるＡ／Ｄ識別情報に関係なく当該トラックをオーディオトラックとして読み出すという処理をコンピュータに実行させる。
【０００６】
【特許文献１】特開２００３−１３２６３３号公報
【発明の開示】
【発明が解決しようとする課題】
【０００７】
しかしながら、リッピングソフトウェアを用いてＭＰ３データが記録されたデイスク（以下、「ＭＰ３ディスク」という）を作成した場合に、リッピングソフトウェアの種類やユーザ側の使い方によっては、本来のＭＰ３データに先行してＭＰ３データ以外の余分なデータが記録される場合がある。このような場合、ディスク再生装置は、ＭＰ３データの開始位置を認識できず、音楽等を再生できないという問題がある。
【０００８】
この発明は、上述した問題を解消するためになされたものであり、記録媒体に余分なデータが記録されていても常に正常な再生が可能なディスク再生装置を提供することを目的とする。
【課題を解決するための手段】
【０００９】
この発明に係るディスク再生装置は、記録媒体に形成されたセクタの先頭からデータの読み取りを開始する読取手段と、読取手段で読み取られたデータにデータ形式の規格で定義されたヘッダ情報が含まれるかどうかを判断する判断手段と、判断手段によりヘッダ情報が含まれていないことが判断された場合に、読取手段に対し、次のセクタからのデータの読み取りを指示する制御手段と、判断手段によりヘッダ情報が含まれていることが判断された場合に、ヘッダ情報が含まれるフレームのデータから順次再生を行う再生手段と、制御手段の指示に応じて読取手段が所定数のセクタから読み取ったデータにヘッダ情報が含まれていない場合に再生を抑止する抑止手段とを備えているものである。
【発明の効果】
【００１０】
この発明によれば、データ形式の規格で定義されたヘッダ情報が出現するまでセクタを順次変更しながらヘッダ情報を探し、所定数のセクタの中でヘッダ情報が含まれている場合に、そのヘッダ情報を含むフレームのデータから順次再生を行うように構成したので、規格に定義されていない余分なデータが記録媒体のヘッダ情報に先行する部分に存在しても常に正常な再生が可能になる。
【発明を実施するための最良の形態】
【００１１】
以下、この発明の実施の形態を図面を参照しながら詳細に説明する。
実施の形態１．
まず、この発明の実施の形態１に係るディスク再生装置によって再生の対象とされるＭＰ３ディスクを作成するためのディスク作成装置を、図１に示すブロック図を参照しながら説明する。
【００１２】
このディスク作成装置は、例えばパーソナルコンピュータ上に構築される。即ち、ディスク作成装置は、パーソナルコンピュータの本体１、ディスプレイ装置２及び媒体外部機器３によって構成されている。
【００１３】
本体１には、ＣＰＵ４、メインメモリ５、ディスクドライブ６、表示制御部７及び媒体制御部８を備えている。
【００１４】
ＣＰＵ４は、ディスク作成装置の全体を制御する。メインメモリ５は、プログラムを記憶するとともに、ＣＰＵ４の作業用データの一時格納領域として使用される。ＣＰＵ４は、詳細は後述するが、プログラム処理によって実現される再生処理部４ａ及びリッパ部４ｂを含んでいる。リッパ部４ｂは、リッピングソフトウェア、リッピングツール又はリッパーと呼ばれる部分であり、オーディオデータからＭＰ３データを生成する。
【００１５】
ディスクドライブ６は、記録媒体Ｍに記録されたデータを読み取ってＣＰＵ４の再生処理部４ａに送る。記録媒体Ｍとしては、ＣＤ−Ｒ、ＣＤ−ＲＷといったオーディオＣＤ（ＣＤ−ＤＡ）や、オーディオデータが記録されたＤＶＤ−ＲＯＭ（Digital Versatile Disk Read Only Memory)、ＤＶＤ−Ｒ（Digital Versatile Disk Recordable)、ＤＶＤ−ＲＷ（Digital Versatile Disk ReWritable)、ＤＶＤ−ＲＡＭ（Digital Versatile Disk Random Access Memory)、ＤＶＤ＋Ｒ（Digital Versatile Disk Recordable)、ＤＶＤ＋ＲＷ（Digital Versatile Disk ReWritable）、ＨＤＤ（Hard Disk Drive)等を用いることができる。ディスクドライブ６は、これらの記録媒体Ｍの種類に適合するものが使用される。
【００１６】
表示制御部７は、ディスプレイ装置２を制御するために使用される。この表示制御部７の制御により、ＣＰＵ４から送られてくる表示データがディスプレイ装置２の画面上に表示される。ディスプレイ装置２は、例えば液晶表示装置（ＬＣＤ）、ＣＲＴ表示装置等から構成することができる。
【００１７】
媒体制御部８は、媒体外部機器３を制御するために使用される。この媒体制御部８の制御により、ＣＰＵ４から送られてくるＭＰ３データが媒体外部機器３に装着された記録媒体に書き込まれ、ＭＰ３ディスク９が作成される。ＭＰ３ディスク９を構成する記録媒体としては、例えばＣＤ−Ｒ、ＣＤ−ＲＷ、ＤＶＤ−Ｒ、ＤＶＤ−ＲＷ、ＤＶＤ−ＲＡＭ、ＤＶＤ＋Ｒ、ＤＶＤ＋ＲＷ等といった書き込み可能な記録媒体を用いることができる。媒体外部機器３としては、これらの記録媒体に適合するドライブ装置が使用される。
【００１８】
ここで、ＭＰ３の規格により規定されているデータ形式の概要を、図２を参照しながら説明する。記録媒体に形成された１つのトラックには１曲分のＭＰ３データが記憶される。１トラックは複数のセクタから成り、各セクタは複数のフレームから構成されている。そして、各フレームは、ヘッダ情報、ＣＲＣ、サイド情報、メインデータ及び付加データから構成されている。
【００１９】
ヘッダ情報は４バイトで構成され、ビットレートやサンプリング周波数など、ＭＰ３データ全体のタイプを表す情報を含む。ヘッダ情報を構成する要素及びビット数を図３に示す。各要素の意味はＭＰ３の規格により定義されているので詳細な説明は省略するが、ヘッダ情報の先頭に位置する同期ヘッダは１２ビットの「１」から構成されている。この同期ヘッダによりＭＰ３データのフレームであるかどうかが識別される。
【００２０】
ＣＲＣは、当該フレームに対する巡回冗長検査（Cyclic Redundancy Check)を行うためのコードから成り、ヘッダ情報のエラー保護ビッチが「１」の場合に有効になる。サイド情報には、オーディオデータをＭＰ３データにエンコードした時に使用されたパラメータが含まれる。メインデータは、再生時に、このサイド情報を参照してデコードされる。メインデータは、ＭＰ３形式にエンコードされた音声データから成る。付加データには、後続のフレームが大きいビット数を必要とするときに、その後続のフレームのメインデータに収容できなかったデータから成る。
【００２１】
以上のように構成されるディスク作成装置において、図示しない操作装置からディスク作成の指示がなされると、ディスクドライブ６は、記録媒体Ｍからデータを読み取ってＣＰＵ４の再生処理部４ａに送る。再生処理部４ａは、ディスクドライブ６から送られてくるデータを再生し、圧縮されていないデジタル形式の音声データを生成する。この再生処理部４ａで生成された音声データはリッパ部４ｂに送られる。
【００２２】
リッパ部４ｂは、再生処理部４ａから送られてくる音声データを、ＭＰ３形式のデータにエンコードする。これにより、元の音声データが約１／１１に圧縮されたＭＰ３データが作成される。
【００２３】
以上の処理によりリッパ部４ｂで作成されたＭＰ３データは、媒体制御部８を介して媒体外部機器３に送られ、媒体外部機器３に装着された記録媒体に記録されることによりＭＰ３ディスク９が作成される。
【００２４】
次に、この発明の実施の形態１に係るディスク再生装置を説明する。ディスク再生装置は、上述したディスク作成装置で作成されたＭＰ３ディスク９に記録されている内容を再生する。
【００２５】
ＭＰ３ディスク９には、一般に、１つの曲に対応するトラックの先頭のセクタから順番に、ＭＰ３データがフレーム毎に格納されている。従って、ＭＰ３ディスク９を再生する時は、トラックの先頭のセクタから順番にＭＰ３データを読み出して信号処理することにより、正常な再生が可能である。
【００２６】
ところで、上述したＭＰ３の規格では、オーディオデータをＭＰ３データに変換するデコーダの仕様のみが規定されており、エンコードには如何なる手段を用いてもよいことになっている。このように規定することにより、煩雑な処理であるエンコード処理が規格に縛られることなく種々の改良がなされていくことが期待されている。このような背景の下にあって、オーディオデータをＭＰ３データにエンコードするリッピングソフトウェアの種類やユーザ側の使い方によっては、図４に示すように、ＭＰ３データに先行する部分（セクタ１〜６）にＭＰ３データでないデータ、例えば「００ｈ」（末桁の「ｈ」は１６進数であることを表す）で埋められ、ＭＰ３データはその後ろ（セクタ６以降）から格納される場合がある。
【００２７】
このようにトラックの先頭の数セクタにＭＰ３データでないデータが埋められる要因としては、次の場合が考えられる。
（１）リッピングソフトウェアの事情で、例えぱリッピングソフトウェアの種類や作成者の名前、会社名などが入れられるような場合。
（２）トラックの先頭の数セクタに、例えば曲名や演奏者などのデータを記録することができるスペースが空けられているが、リッピングソフトウェアを使用する際にユーザが何も入力しなかったため「００ｈ」が入っているような場合。
【００２８】
特に、上記（２）の場合は、スペースの長さは、ＭＰ３ディスク９に記録されている曲の数に依存するので不定である。この場合、従来のディスク再生装置は、ＭＰ３データがどこから始まるのか（ＭＰ３のヘッダ情報がどこに存在するのか）を認識できないため、制限時間内に音楽を再生できず、タイムアウトエラーになる。これに対し、この発明の実施の形態１に係るディスク再生装置は、かかる事態を回避して、トラックの先頭のセクタからＭＰ３データでないデータが埋められている場合であっても正常にＭＰ３データを再生できるようにしたものである。
【００２９】
図５は、この発明の実施の形態１に係るディスク再生装置の構成を示すブロック図である。このディスク再生装置は、大きく分けると、デッキ部１０とオーディオセット部２０とから構成されている。
【００３０】
デッキ部１０は、デッキ１１、ＤＳＰ１２、モータドライバ１３、ディスク検知部１４、マイクロコンピュータ（以下、「マイコン」と略する）１５から構成されている。
【００３１】
デッキ１１は、ＭＰ３ディスク９を駆動するためのメカニカルから構成されており、ピックアップ１６を備えている。このデッキ１１は、ＭＰ３ディスク９が装着された場合に、その旨を表す信号をディスク検知部１４に送る。また、デッキ１１は、モータドライバ１３からの制御信号に応じて図示しないスピンドルモータを駆動して装着されたＭＰ３ディスク９を回転させるとともに、図示しないスレッドモータを駆動してピックアップ１６を移動させる。
【００３２】
ピックアップ１６は、スレッドモータにより移動されて位置決めがなされた後に、回転しているＭＰ３ディスク９からデータを読み取る。このピックアップ１６で読みとられたデータは、デジタル信号処理装置（以下、「ＤＳＰ：Digital Signal Processor）」という）１２に送られる。
【００３３】
ＤＳＰ１２は、マイコン１５からの指示に応答して、モータドライバ１３から送られてくるスピンドルモータ及びスレッドモータの制御状態を表す信号を考慮して、ピックアップ１６から送られてくるデータに所定の信号処理を施す。これにより、ＭＰ３ディスク９に記録されているデータが再生される。このＤＳＰ１２で再生されたデータはマイコン１５に送られるとともに、再生されたデータがＭＰ３データであれば、オーディオセット部２０に送られる。
【００３４】
モータドライバ１３は、マイコン１５からの指示に応答してデッキ１１のスピンドルモータ及びスレッドモータを制御する。また、モータドライバ１３は、スピンドルモータ及びスレッドモータの制御状態を表す信号をＤＳＰ１２に送る。
【００３５】
ディスク検知部１４は、デッキ１１からのＭＰ３ディスク９が装着された旨の信号を受け取り、その旨を表すディスク検知信号を生成してマイコン１５に送る。
【００３６】
マイコン１５は、制御部１７及び通信部１８を備えている。この発明の読取手段、判断手段、制御手段、再生手段及び抑止手段は、制御部１７の制御により構成されている。制御部１７は、ディスク検知部１４からのディスク検知信号に応じてモータドライバ１３に駆動の指示を与える。また、制御部１７は、ＤＳＰ１２に対して再生開始を指示する。更に、制御部１７は、ＤＳＰ１２から受け取ったデータに基づき、ＭＰ３データの先頭位置を検出し、検出された先頭位置から再生を開始させる再生開始処理を実行する。この再生開始処理の詳細は後述する。
【００３７】
通信部１８は、制御部１７とオーディオセット部２０との間のデータの送受を制御する。通信部１８は、例えば、オーディオセット部２０からＭＰ３ディスク９の再生指令を受信して制御部１７に送る。制御部１７は、この再生指令に応答して、モータドライバ１３及びＤＳＰ１２に対して起動を指示する。
【００３８】
オーディオセット部２０は、プレイ（ＰＬＡＹ）ボタン２１、マイコン２２、ＬＣＤ２３、音声制御部２４、増幅部２５、スピーカ２６ａ及びスピーカ２６ｂから構成されている。
【００３９】
プレイボタン２１は、オーディオセット部２０の操作パネル（図示しない）に設けられており、ディスク再生装置に対しＭＰ３ディスク９の再生を指示するために使用される。このプレイボタン２１は、マイコン２２の内部に設けられたキー検知部３２（後述する）に接続されている。
【００４０】
マイコン２２は、制御部３０、記憶部３１、キー検知部３２及び通信部３３から構成されている。
【００４１】
制御部３０は、オーディオセット部２０の全体を制御する。記憶部３１は、プログラムを記憶するとともに、制御部３０の作業用データの一時格納領域として使用される。この制御部３０は、キー検知部３２からの検知信号に応答してＭＰ３ディスク９の再生指令を生成し通信部３３に送る。また、図示しない操作パネルの操作に応じて各種メッセージを生成し、液晶表示装置（ＬＣＤ）２３に送る。
【００４２】
キー検知部３２は、プレイボタン２１が操作されたことを検知して検知信号を生成する。このキー検知部３２で生成された検知信号は、制御部３０に送られる。通信部３３は、制御部３０とデッキ部１０との間のデータの送受を制御する。通信部１８は、例えば、制御部３０で生成されたＭＰ３ディスク９の再生指令をデッキ部１０に送信する。この再生指定に応答して、デッキ部１０は動作を開始する。
【００４３】
液晶表示装置（ＬＣＤ）２３は、マイコン２２の制御部３０から送られてくる表示データに従って種々のメッセージをその画面上に表示する。
【００４４】
音声制御部２４は、デッキ部１０のＤＳＰ１２から送られてくるデジタルのＭＰ３データに基づきアナログの音声信号を生成する。この音声制御部２４で生成された音声信号は、増幅部２５に送られる。
【００４５】
増幅部２５は、音声制御部２４から送られてくる音声信号を増幅してスピーカ２６ａ及び２６ｂに送る。スピーカ２６ａ及び２６ｂは、増幅部２５から送られてくる音声信号を音響信号に変換して放音する。
【００４６】
次に、上記のように構成されるディスク再生装置の動作を、デッキ部１０のマイコン１５で実行されるＭＰ３ディスクの再生開始処理を中心に、図６に示すフローチャートを参照しながら説明する。なお、以下では、１秒間に３セクタのヘッダ情報が調べられるものとする。
【００４７】
オーディオセット部２０のプレイボタン２１が操作されると、マイコン２２の内部のキー検知部３２は検知信号を生成して制御部３０に送る。この検知信号を受信した制御部３０は、ＭＰ３ディスク９の再生指令を生成して通信部３３に送る。通信部３３は、この再生指令をデッキ部１０のマイコン１５の内部の通信部１８に送信する。通信部１８は、この再生指令を受信して制御部１７に送る。これにより、制御部１７において、図６のフローチャートに示す再生開始処理が開始される。
【００４８】
再生開始処理では、まず、カウンタがゼロにリセットされる（ステップＳＴ１０）。カウンタは、制御部１７の内部に設けられており（図示は省略する）、タイムオーバーになるまでの時間を計測するために使用される。
【００４９】
次いで、１秒タイマがリセットされる（ステップＳＴ１１）。１秒タイマは、制御部１７の内部に設けられており（図示は省略する）、３セクタ分のヘッダ情報を調べるのに要する時間（１秒）を計時するために使用される。次いで、カウンタがインクリメント（＋１）される（ステップＳＴ１２）。次いで、１秒タイマが起動され、計時が開始される（ステップＳＴ１３）。
【００５０】
次いで、セクタ番号がインクリメント（＋１）される（ステップＳＴ１４）。セクタ番号は、制御部１７の内部に設けられたセクタカウンタ（図示しない）によりカウントされる。次いで、ステップＳＴ１４でインクリメントされたセクタ番号で示されるセクタのヘッダ情報が取得される（ステップＳＴ１５）。そして、取得されたヘッダ情報が、ＭＰ３の規格に従ったヘッダ情報であるかどうかが調べられる（ステップＳＴ１６）。より具体的には、ヘッダ情報の先頭に存在する同期ヘッダは１２ビットの「１」から構成されているかどうかが調べられる。
【００５１】
このステップＳＴ１６で、ＭＰ３の規格に従ったヘッダ情報が存在しないことが判断されると、次いで、１秒タイマで計時された値が１秒未満であるかどうかが調べられる（ステップＳＴ１７）。ここで、１秒未満であることが判断されると、シーケンスはステップＳＴ１４に戻り再度同様の処理が繰り返される。従って、ステップＳＴ１４〜ＳＴ１７の処理により、１秒間に３セクタ分のデータが調べられることになる。
【００５２】
上記ステップＳＴ１６で、ＭＰ３の規格に従ったヘッダ情報が存在することが判断されると、次いで、ＭＰ３の規格に従ったヘッダ情報が累積して３回検出されたかどうかが調べられる（ステップＳＴ１８）。ここで、累積して３回検出されたことが判断されると、ＭＰ３データの再生処理が実行される（ステップＳＴ１９）。この再生処理は、ＭＰ３の規格に従ったヘッダ情報が最初に検出されたフレームから開始される。その後、トラックの終わりまで再生が継続される。
【００５３】
上記ステップＳＴ１８で、ＭＰ３の規格に従ったヘッダ情報が累積して３回検出されていないことが判断されると、シーケンスはステップＳＴ１７に分岐し、上述した処理が繰り返して実行される。この繰り返し実行の過程で、ステップＳＴ１７において、１秒タイマが１秒以上を計時したことが判断されると、次いで、カウンタの内容は「５」未満であるかどうかが調べられる（ステップＳＴ２０）。そして、「５」未満であることが判断されると、シーケンスはステップＳＴ１１に戻り、上述した処理が繰り返される。従って、少なくとも、トラックの先頭から１５セクタ分は、ＭＰ３の規格に従ったヘッダ情報が存在するかどうかが調べられることになる。
【００５４】
上記ステップＳＴ２０で、「５」未満でないことが判断されると、ＭＰ３データは存在しないと判断され、タイムオーバーエラーとしてＭＰ３データの再生は抑止される（ステップＳＴ２１）。以上により、再生開始処理は終了する。
【００５５】
以上説明したように、この発明の実施の形態１に係るディスク再生装置によれば、ＭＰ３の規格で定義されたヘッダ情報が出現するまでセクタを順次変更しながらヘッダ情報を探し、トラックの先頭から１５セクタの間にヘッダ情報が含まれている場合に、そのヘッダ情報を含むフレームのデータから順次再生を行うように構成したので、ＭＰ３の規格に定義されていない余分なデータがＭＰ３データに先行する部分に存在しても常に正常な再生が可能になる。
【００５６】
また、上述した実施の形態１に係るディスク再生装置では、ＭＰ３の規格に従ったヘッダ情報が累積して３回検出された場合にＭＰ３再生処理を開始するように構成している。従って、より確実にＭＰ３データの開始位置を認識することができる。
【００５７】
なお、ＭＰ３の規格に従ったヘッダ情報が累積して３回検出された場合（ステップＳＴ１８でＹＥＳと判断された場合）にＭＰ３再生処理を開始するように構成したが、ステップＳＴ１８の判断処理を省略し、ステップＳＴ１６でＭＰ３の規格に従ったヘッダ情報が存在することが判断されると直ちにＭＰ３再生処理（ステップＳＴ１９）を開始するように構成することもできる。
【００５８】
また、上述した実施の形態１に係るディスク再生装置では、ＭＰ３データが記録されたディスクを再生する場合について説明したが、この発明は、ＭＰ３データに限らず、他の形式のデータ、例えばＭＰＥＧＭＰ２．５等にも適用することができる。
【図面の簡単な説明】
【００５９】
【図１】この発明の実施の形態１に係るディスク再生装置によって再生の対象とされるＭＰ３ディスクを作成するためのディスク作成装置の構成を示すブロック図である。
【図２】ＭＰ３の規格で規定されているデータ形式の概要を説明するための図である。
【図３】ＭＰ３の規格で規定されているヘッダ情報を構成する要素及びビット数を示す図である。
【図４】この発明の実施の形態１に係るディスク再生装置で取り扱うＭＰ３データの一例を説明するための図である。
【図５】この発明の実施の形態１に係るディスク再生装置の構成を示すブロック図である。
【図６】この発明の実施の形態１に係るディスク再生装置の動作を説明するためのフローチャートである。
【符号の説明】
【００６０】
１０  デッキ部、１１  デッキ、１２  ＤＳＰ、１３  モータドライバ、１４  ディスク検知部、１５  マイコン、１６  ピックアップ、１７  制御部、１８  通信部、２０  オーディオセット部、２１  プレイボタン、２２  マイコン、２３  ＬＣＤ、２４  音声制御部、２５  増幅部、２６ａ，２６ｂ  スピーカ、３０  制御部、３１  記憶部、３２  キー検知部、３３  通信部。
【図１】
2005203028.tif 000003
【図２】
2005203028.tif 000004
【図３】
2005203028.tif 000005
【図４】
2005203028.tif 000006
【図５】
2005203028.tif 000007
【図６】
2005203028.tif 000008